(57)【要約】【課題】小割り感と高級感を出すことができ、雨水の浸入を防止できる千鳥葺き平板瓦１０を提供する。【解決手段】瓦本体露出部分１０ａを幅の異なる桟側平坦部１１と差込側平坦部１２の二つの平坦部で構成し、大小２種類の小型平板瓦が葺設されているように小割り感を出す。差込側平坦部１２を桟側平坦部１１より低くして両平坦部１１，１２の境界に段差１３を形成するとともに、差込側平坦部１２の頭部側１０ｃの側縁に段差１４を形成し、二つの段差１３，１４による陰影で高級感を醸し出す。桟側平坦部１１を伝う雨水が桟側平坦部１１より低い差込側平坦部１２へ流入し、流入した雨水は差込側平坦部１１の瓦頭部側１０ｃの端縁の１４段差に流れ落ちる。そして、流れ落ちた雨水を段差１４の底面１４ｂで跳ね返して下段の平板瓦１０へと流れ落とす。これにより雨水が瓦１０の裏面に浸入し難くなる。【選択図】図１
2011058196.tif 000002
【特許請求の範囲】
【請求項１】
千鳥葺き平板瓦であって、葺設したとき露出する瓦本体露出部分を桟側平坦部と、桟側平坦部より幅広の差込側平坦部で構成し、差込側平坦部を桟側平坦部より低くして両平坦部の境界部に段差を形成し、差込側平坦部の瓦頭部側端面を差込側平坦部の表面の瓦頭部側端縁から垂下する第１垂れ面と、第１垂れ面の下端から瓦頭部側へ拡がる底面と、底面の反第１垂れ面側端縁から垂下する第２垂れ面からなる段差に形成し、桟側平坦部の表面の瓦頭部側端縁から垂下する第３垂れ面と前記第２垂れ面を略面一に形成したことを特徴とする。
【請求項２】
前記差込側平坦部の幅を前記桟側平坦部の幅の略２倍に設定したことを特徴とする請求項１に記載の千鳥葺き平板瓦。
【請求項３】
前記桟側平坦部を平滑に形成し、前記差込側平坦部に瓦尻側から瓦頭部側へ延びる複数本の線条を形成したことを特徴する請求項１に記載の千鳥葺き平板瓦。
【発明の詳細な説明】
【技術分野】
【０００１】
本発明は、千鳥葺き平板瓦に関する。
【背景技術】
【０００２】
千鳥葺き平板瓦の一形式として、特開平１０−８６４２号には、葺設したとき露出する瓦本体露出部分に瓦尻側から瓦頭側へ延びる２本の縦溝を形成し、この縦溝によって瓦本体露出部分を略等幅の３つの平坦部に分割し、各平坦部に岩目模様を形成し、瓦本体の瓦頭部側端縁に凸条に湾曲した垂れ面を形成した平板瓦が開示されている。
【先行技術文献】
【特許文献】
【０００３】
【特許文献１】特開平１０−８６４２号公報
【発明の概要】
【発明が解決しようとする課題】
【０００４】
従来の千鳥葺き平板瓦は瓦本体を３分割することによって、小型の瓦を多数葺設したように見える小割り感を出すことができる。
しかしながら、３分割された各平坦部が略等幅であるため、同型の小型瓦が多数葺設されているように見えるに過ぎない。そのため、高級感に欠ける嫌いがある。
また、多量の雨水が瓦本体の表面を伝って流れるとき、瓦頭部側垂れ面を伝う雨水の一部が瓦本体の裏面に浸入するおそれがある。
本発明はかかる問題点に鑑み、小割り感と高級感を出すことができ、雨水の浸入を防止できる千鳥葺き平板瓦を提供することを目的とする。
【課題を解決するための手段】
【０００５】
請求項１に記載の発明は千鳥葺き平板瓦であって、葺設したとき露出する瓦本体露出部分を桟側平坦部と、桟側平坦部より幅広の差込側平坦部で構成し、差込側平坦部を桟側平坦部より低くして両平坦部の境界部に段差を形成し、差込側平坦部の瓦頭部側端面を差込側平坦部の表面の瓦頭部側端縁から垂下する第１垂れ面と、第１垂れ面の下端から瓦頭部側へ拡がる底面と、底面の反第１垂れ面側端縁から垂下する第２垂れ面からなる段差に形成し、桟側平坦部の表面の瓦頭部側端縁から垂下する第３垂れ面と前記第２垂れ面を略面一に形成したことを特徴とする。
【０００６】
そして、好ましくは、前記差込側平坦部の幅を前記桟側平坦部の幅の略２倍に設定する。
また、好ましくは前記桟側平坦部を平滑に形成し、前記差込側平坦部に瓦尻側から瓦頭部側へ延びる複数本の線条を形成する。
【発明の効果】
【０００７】
本発明によれば、瓦本体露出部分を幅の異なる桟側平坦部と差込側平坦部の二つの平坦部で構成したので、大小２種類の小型平板瓦が葺設されているように見える。また、差込側平坦部を桟側平坦部より低くして両平坦部の境界部に段差を形成するとともに、差込側平坦部の頭部側側縁に段差を形成したので、二つの段差により陰影が形成され、高級感が醸し出される。
【０００８】
さらにまた、桟側平坦部を伝う雨水が桟側平坦部より低い差込側平坦部へ流入し、流入した雨水は差込側平坦部の頭部側端縁の段差に流れ落ちる。そして、流れ落ちた雨水はこの段差の底面で跳ね返って下段の平板瓦へと流れ落ちるので、雨水が瓦の裏面に浸入し難くなる。
【０００９】
そして、差込側平坦部の幅を前記桟側平坦部の幅の略２倍に設定することにより、小割り感を一層際だたせることができる。
また、桟側平坦部を平滑に形成し、差込側平坦部に尻側から頭部側へ延びる複数本の線条を形成することにより、小割り感と高級感をより一層際だたせることができる。
【図面の簡単な説明】
【００１０】
【図１】本発明の一実施例に係る千鳥葺き平板瓦を示す斜視図である。
【図２】図１の２−２線から切断した端面図である。
【図３】同平板瓦の葺設状態を示す部分平面図である。
【図４】同平板瓦の葺設状態を示す部分斜視図である。
【実施例】
【００１１】
本発明の一実施例に係る千鳥葺き平板瓦を図１に示す。当該千鳥葺き平板瓦１０は陶器製で葺設したとき露出する瓦本体露出部分１０ａが桟側平坦部１１と差込側平坦部１２から構成されている。桟側平坦部１１は縦長長方形の平面形状を有し、表面が平滑に形成されている。
【００１２】
差込側平坦部１２は桟側平坦部１１の略２倍の幅を有する長方形の平面形状を有し、表面に瓦尻側から瓦頭部側（棟側から軒側）へ延びる多数の線条１２ａにより岩目模様が形成されている。図２から明らかなように、差込側平坦部１２の表面は桟側平坦部１１の表面より低く形成され、差込側平坦部１２と桟側平坦部１１との境界部には瓦尻側１０ｂから瓦頭部側１０ｃへ延びる段差１３が形成されている。
【００１３】
桟側差込部１２の瓦頭部側１０ｃの端部には瓦桟側１０ｄ瓦差込側１０ｅへ延びる段差１４が形成されている。この段差１４は差込側平坦部１２の表面の瓦頭部側１０ｃの端縁から垂下する第１垂れ面１４ａと、第１垂れ面１４ａの下端から瓦頭部側１０ｃへ拡がる底面１４ｂと、底面１４ｂの反第１垂れ面側端縁から垂下する第２垂れ面１４ｃから構成されている。そして、桟側平坦部１１の表面の瓦頭部側１０ｃの端縁から垂下する第３垂れ面１１ａと第２垂れ面１４ｃが面一に形成されている。
【００１４】
瓦本体の差込側端部１０ｅには差込段部１５が形成されている。この差込段部１５は差込側平坦部１２の差込側端縁に沿って設けられ、図２に示すように差込側平坦部１２より低段に形成されている。差込段部１５の瓦頭部側１０ｃの端面は略第１垂れ面１４ａに並んでいる。差込側平坦部１２と差込段部１５との境界部には第１縦水返し凸条１６が設けられている。差込端部１５の差込側端縁１０ｅには第２縦水返し凸条１７が設けられている。瓦本体の尻側端部１０ｂには瓦桟側１０ｄの端縁から第１縦水返し凸条１６に達する第１横水返し凸条１８が設けられている。また、差込段部１５の瓦尻側１０ｂの端縁には第２横水返し凸条１９が設けられている。第１横水返し凸条１８２箇所に釘穴２０が形成され、両釘穴２０間には瓦本体裏面に形成された凹部（図示略）に係合するフック２１が設けられている。第１横水返し凸条１８の桟側１０ｄの端部に係止凸片２２が並設され、係止凸片２２と桟側平坦部１１の瓦尻側１０ｂの端縁との間に係止溝２３が区画形成されている。
【００１５】
本実施例に係る千鳥葺き平板瓦１０の構造は以上の通りであって、図３及び図４に示すように平板瓦１０Ａの桟側平坦部１１の下側に平板瓦１０Ｂの差込段部１５を差し込んで重ね合わせる。重ね合わせた平板瓦１０Ａ，１０Ｂに上段の平板瓦１０Ｃを重ね合わせる。このとき、平板瓦１０Ｃの差込側平坦部１２の段差１４の略中央部分が下段の平板瓦１０Ａの係止溝２３に係止するように重ね合わせて千鳥葺きする。
【００１６】
本実施例にかかる千鳥葺き平板瓦１０によれば、瓦本体露出部分１０ａを幅の異なる桟側平坦部１１と差込側平坦部１２の二つの平坦部で構成し、差込側平坦部１２の幅を桟側平坦部の略２倍としたので、大小２種類の小型平板瓦が葺設されているように見える。また、差込側平坦部１２を桟側平坦部１１より低くして両平坦部１１，１２の境界に段差１３を形成するとともに、差込側平坦部１２の頭部側１０ｃの側縁に段差１４を形成したので、二つの段差１３，１４により陰影が形成され、高級感が醸し出される。
【００１７】
また、桟側平坦部１１を伝う雨水が桟側平坦部１１より低い差込側平坦部１２へ流入し、流入した雨水は差込側平坦部１１の瓦頭部側１０ｃの端縁の１４段差に流れ落ちる。そして、流れ落ちた雨水は段差１４の底面１４ｂで跳ね返って下段の平板瓦１０へと流れ落ちるので、雨水が瓦１０の裏面に浸入し難くなる。
【００１８】
さらにまた、桟側平坦部１１を平滑に形成し、差込側平坦部１１に複数本の線条１２ａを形成したので、高級感をより一層際だたせることができる。
【符号の説明】
【００１９】
１０，１０Ａ，１０Ｂ，１０Ｃ…千鳥葺き平板瓦
１０ａ…瓦本体露出部分
１０ｂ…瓦尻側
１０ｃ…瓦頭部側
１０ｄ…瓦桟側
１０ｅ…瓦差込側
１１…桟側平坦部
１１ａ…第３垂れ面
１２…差込側平坦部
１２ａ…線条
１３…段差
１４…段差
１４ａ…第１垂れ面
１４ｂ…底面
１４ｃ…第２垂れ面
【図１】
2011058196.tif 000003
【図２】
2011058196.tif 000004
【図３】
2011058196.tif 000005
【図４】
2011058196.tif 000006